(57)【要約】【構成】  ディジタルカメラ１０はＷｉＦｉ接続の確立によってスマートフォン６０との間の連携が可能となり、スマートフォン６０からの操作によりディジタルカメラ１０のズーム制御を行う際に、ズーム変更速度をディジタルカメラ１０への直接操作でズーム変更を行う場合よりも遅くなるようにズーム変更速度調整を行う。【効果】  ディジタルカメラ１０による撮影実行において遠隔操作によるズーム制御を容易に行うことができ、利便性が向上する。【選択図】図２
2014220715.tif 000002
【特許請求の範囲】
【請求項１】
外部端末と連携して制御が可能な電子カメラであって、
撮像面で捉えられたシーンを表す電子画像を出力する撮像手段、
前記撮像手段から出力された電子画像を前記外部端末に送信する出力画像送信手段、
前記外部端末からの操作によりズームの制御を行うズーム制御手段、および
前記外部端末からのズーム制御時のズーム変更速度を、電子カメラへの直接制御時のズーム変更速度よりも遅くするズーム変更速度調整手段を備えることを特徴とする電子カメラ。
【請求項２】
前記ズーム制御手段はズーム倍率を段階的に変更するステップズーム手段をさらに備える、請求項１記載の電子カメラ。
【請求項３】
外部端末と連携して制御が可能な電子カメラのプロセッサに、
撮像面で捉えられたシーンを表す電子画像を出力する撮像ステップ、
前記撮像ステップによって出力された電子画像を前記外部端末に送信する出力画像送信ステップ、
前記外部端末からの操作によりズームの制御を行うズーム制御ステップ、および
前記外部端末からのズーム制御時のズーム変更速度を、電子カメラへの直接制御時のズーム変更速度よりも遅くするズーム変更速度調整ステップを実行させるための撮影制御プログラム。
【請求項４】
外部端末と連携して制御が可能な電子カメラによって実行される撮影制御方法であって、
撮像面で捉えられたシーンを表す電子画像を出力する撮像ステップ、
前記撮像ステップによって出力された電子画像を前記外部端末に送信する出力画像送信ステップ、
前記外部端末からの操作によりズームの制御を行うズーム制御ステップ、および
前記外部端末からのズーム制御時のズーム変更速度を、電子カメラへの直接制御時のズーム変更速度よりも遅くするズーム変更速度調整ステップを備える、撮影制御方法。
【請求項５】
メモリに保存された内部制御プログラムに従う処理を実行するプロセッサを備える、外部端末と連携して制御が可能な電子カメラに供給される外部制御プログラムであって、
撮像面で捉えられたシーンを表す電子画像を出力する撮像ステップ、
前記撮像ステップによって出力された電子画像を前記外部端末に送信する出力画像送信ステップ、
前記外部端末からの操作によりズームの制御を行うズーム制御ステップ、および
前記外部端末からのズーム制御時のズーム変更速度を、電子カメラへの直接制御時のズーム変更速度よりも遅くするズーム変更速度調整ステップを前記内部制御プログラムと協働して前記プロセッサに実行させるための、外部制御プログラム。
【請求項６】
外部制御プログラムを取り込む取り込み手段、および
前記取り込み手段によって取り込まれた外部制御プログラムとメモリに保存された内部制御プログラムとに従う処理を実行するプロセッサを備える、外部端末と連携して制御が可能な電子カメラであって、
前記外部制御プログラムは、
撮像面で捉えられたシーンを表す電子画像を出力する撮像ステップ、
前記撮像ステップによって出力された電子画像を前記外部端末に送信する出力画像送信ステップ、
前記外部端末からの操作によりズームの制御を行うズーム制御ステップ、および
前記外部端末からのズーム制御時のズーム変更速度を、電子カメラへの直接制御時のズーム変更速度よりも遅くするズーム変更速度調整ステップを前記内部制御プログラムと協働して実行するプログラムに相当する、電子カメラ。
【発明の詳細な説明】
【技術分野】
【０００１】
この発明は、電子カメラに関し、特にスマートフォン等の外部端末からの遠隔操作により撮影が可能な、電子カメラに関する。
【背景技術】
【０００２】
この種のカメラの一例が、特許文献１に開示されている。この背景技術によれば、ディジタルカメラのファインダ画像が無線で携帯端末に送信され、撮影者は前記画像を前記携帯端末の表示画面で確認するとともに、前記表示画面上で拡大または縮小等の操作を行うことでディジタルカメラの遠隔操作を行うことができる。これにより、ズームおよび画角の調整を容易に行うことができるとされている。
【先行技術文献】
【特許文献】
【０００３】
【特許文献１】特開２０１２−１８６６９８号公報
【発明の概要】
【発明が解決しようとする課題】
【０００４】
しかし、背景技術のように遠隔操作を行う場合には、ディジタルカメラと携帯端末との間での通信のタイムラグ等により、撮影者の意図したポジションにズームを調整することが困難である。例えば、携帯端末の表示画面で撮影者の意図したポジションになった瞬間に携帯端末側でのズーム操作を止めた場合でも、ディジタルカメラ側では前記ポジションをタイムラグに相当する分越えたポジションまで進んでしまうため、所望のズーム位置からは行き過ぎてしまうことになる。この場合、所望のズーム位置付近でズームを戻す等、再度のズーム調整を行う必要が生じる。
【０００５】
それゆえに、この発明の主たる目的は、遠隔操作によるズーム制御を容易に行うことのできる、電子カメラを提供することである。
【課題を解決するための手段】
【０００６】
この発明に従う電子カメラ(10：実施例で相当する参照符号。以下同じ)は、外部端末(60)と連携して制御が可能な電子カメラであって、撮像面で捉えられたシーンを表す電子画像を出力する撮像手段(18，22)、撮像手段から出力された電子画像を外部端末(60)に送信する出力画像送信手段(40)、外部端末からの操作によりズームの制御を行うズーム制御手段(S9，S27〜S37)、外部端末からのズーム制御時のズーム変更速度を、電子カメラへの直接制御時のズーム変更速度よりも遅くする、ズーム変更速度調整手段(S31,S35)を備える。
【０００７】
好ましくは、ズーム制御手段はズーム倍率を段階的に変更するステップズーム手段(S29)をさらに備える。
【０００８】
好ましくは、電子カメラ(10)は外部端末(60)と非接触通信により通信してズーム制御信号を受信しズーム制御を行う。
【０００９】
好ましくは、非接触通信は短距離無線通信を含む。
【００１０】
この発明に従う撮影制御プログラムは、外部端末(60)と連携して制御が可能な電子カメラ(10)のプロセッサ(24)に、撮像面で捉えられたシーンを表す電子画像を出力する撮像ステップ(S1)、撮像ステップによって出力された電子画像を外部端末に送信する出力画像送信ステップ(図６)、外部端末からの操作によりズームの制御を行うズーム制御ステップ(S9，S27〜S37)、および外部端末からのズーム制御時のズーム変更速度を、電子カメラへの直接制御時のズーム変更速度よりも遅くするズーム変更速度調整ステップ(S31,S35)を実行させるための撮影制御プログラムである。
【００１１】
前記撮影制御プログラムは、好ましくは、ズーム制御ステップにおいて、ズーム倍率を段階的に変更するステップズームステップ(S29)をさらに備える。
【００１２】
この発明に従う撮影制御方法は、外部端末(60)と連携して制御が可能な電子カメラ(10)によって実行される撮影制御方法であって、撮像面で捉えられたシーンを表す電子画像を出力する撮像ステップ(S1)、撮像ステップによって出力された電子画像を外部端末に送信する出力画像送信ステップ(図６)、外部端末からの操作によりズームの制御を行うズーム制御ステップ(S31,S35)、および外部端末からのズーム制御時のズーム変更速度を、電子カメラへの直接制御時のズーム変更速度よりも遅くするズーム変更速度調整ステップ(S9，S27〜S37)を備える。
【００１３】
前記撮影制御方法は、好ましくは、ズーム制御ステップにおいて、ズーム倍率を段階的に変更するステップズームステップ(S29)をさらに備える。
【００１４】
この発明に従う外部制御プログラムは、メモリ(44)に保存された内部制御プログラムに従う処理を実行するプロセッサ(24)を備える、外部端末(60)と連携して制御が可能な電子カメラ(10)に供給される外部制御プログラムであって、撮像面で捉えられたシーンを表す電子画像を出力する撮像ステップ(S1)、撮像ステップによって出力された電子画像を外部端末に送信する出力画像送信ステップ(図６)、外部端末からの操作によりズームの制御を行うズーム制御ステップ(S31,S35)、および外部端末からのズーム制御時のズーム変更速度を、電子カメラへの直接制御時のズーム変更速度よりも遅くするズーム変更速度調整ステップ(S9，S27〜S37)を内部制御プログラムと協働してプロセッサに実行させるための、外部制御プログラムである。
【００１５】
前記外部制御プログラムは、好ましくは、ズーム制御ステップにおいて、ズーム倍率を段階的に変更するステップズームステップ(S29)をさらに備える。
【００１６】
この発明に従う電子カメラ(10)は、外部制御プログラムを取り込む取り込み手段(40)、および取り込み手段によって取り込まれた外部制御プログラムとメモリ(44)に保存された内部制御プログラムとに従う処理を実行するプロセッサ(24)を備える、外部端末(60)と連携して制御が可能な電子カメラ(10)であって、外部制御プログラムは、撮像面で捉えられたシーンを表す電子画像を出力する撮像ステップ(S1)、撮像ステップによって出力された電子画像を外部端末に送信する出力画像送信ステップ(図６)、外部端末からの操作によりズームの制御を行うズーム制御ステップ(S9，S27〜S37)、および外部端末からのズーム制御時のズーム変更速度を、電子カメラへの直接制御時のズーム変更速度よりも遅くするズーム変更速度調整ステップ(S31,S35)を内部制御プログラムと協働して実行するプログラムに相当する。
【００１７】
前記電子カメラは、好ましくは、外部制御プログラムにおけるズーム制御ステップにおいて、ズーム倍率を段階的に変更するステップズームステップ(S29)をさらに備える。
【発明の効果】
【００１８】
本発明の電子カメラは、外部端末と連携して制御が可能であり、外部端末からの操作によりズームの制御が行われ、外部端末からのズーム制御時にはズーム変更速度を電子カメラへの直接制御時のズーム変更速度よりも遅くする。これによって、電子カメラによる撮影実行において遠隔操作によるズーム制御を容易に行うことができ、利便性が向上する。
【００１９】
この発明の上述の目的，その他の目的，特徴および利点は、図面を参照して行う以下の実施例の詳細な説明から一層明らかとなろう。
【図面の簡単な説明】
【００２０】
【図１】この発明の一実施例の基本的構成を示すブロック図である。
【図２】この実施例に適用されるディジタルカメラの構成の一例を示すブロック図である。
【図３】この実施例に適用されるディジタルカメラの構成の他の一例を示すブロック図である。
【図４】この実施例に適用されるスマートフォンの構成の一例を示すブロック図である。
【図５】図２または図３に示すディジタルカメラと図４に示すスマートフォンとの接続態様の一例を示す図解図である。
【図６】ディジタルカメラとスマートフォンとの間での通信動作の一例を示す図解図である。
【図７】図２または図３実施例に適用されるカメラＣＰＵの動作の一部を示すフロー図である。
【図８】図２または図３実施例に適用されるカメラＣＰＵの動作の他の一部を示すフロー図である。
【図９】図２または図３実施例に適用されるカメラＣＰＵの動作のその他の一部を示すフロー図である。
【図１０】図４実施例に適用されるスマートフォンＣＰＵの動作の他の一部を示すフロー図である。
【発明を実施するための形態】
【００２１】
以下、この発明の実施の形態を図面を参照しながら説明する。
［基本的構成］
【００２２】
図１を参照して、この実施例の電子カメラは、基本的に次のように構成される。撮像手段１は、撮像面で捉えられたシーンを表す電子画像を出力する。出力画像送信手段２は、撮像手段１から出力された電子画像を外部端末に送信する。ズーム制御手段３は、外部端末からの操作によりズームの制御を行う。ズーム変更速度調整手段は、外部端末からのズーム制御時のズーム変更速度を、電子カメラへの直接制御時のズーム変更速度よりも遅くする。
【００２３】
この電子カメラは、外部端末と連携して制御が可能であり、外部端末からの操作によりズームの制御が行われ、外部端末からのズーム制御時にはズーム変更速度を電子カメラへの直接制御時のズーム変更速度よりも遅くする。これによって、電子カメラによる撮影実行において遠隔操作によるズーム制御を容易に行うことができ、利便性が向上する。
［実施例］
【００２４】
この実施例のカメラシステムは、各々が図２または図３に示すように構成された１または２以上のディジタルカメラ１０と、各々が図４に示すように構成された１または２以上のスマートフォン６０とによって形成される。ディジタルカメラ１０およびスマートフォン６０のいずれも、ＷｉＦｉ規格に従う近距離無線通信機能を有する。ＷｉＦｉ通信は、図２または図３に示すＲＦモジュール４０および図４に示すＲＦモジュール８４によって実行される。
【００２５】
ディジタルカメラ１０およびスマートフォン６０の電源を投入し、スマートフォン６０のカメラ操作機能を立ち上げ、そしてスマートフォン６０をディジタルカメラ１０に近傍に移動させると、ディジタルカメラ１０で撮影されたシーンを表すリアルタイム動画像の画像データが近距離無線通信によってスマートフォン６０に転送される（図５参照）。また、スマートフォン６０上でズーム操作を行うと、ズーム指示が近距離無線通信によってディジタルカメラ１０に与えられ、これに応答してズーム倍率が変更される。さらに、スマートフォン６０上で撮像操作を行うと、撮像指示が近距離無線通信によってディジタルカメラ１０に与えられる。撮像指示が与えられた時点のシーンを表す静止画像データは、近距離無線通信によってディジタルカメラ１０からスマートフォン６０に転送される。
【００２６】
図２に示すディジタルカメラ１０は、一般消費者によって携帯されて自宅や旅先で所望のシーンを撮影することを前提とする。これに対して、図３に示すディジタルカメラ１０は、テーマパークなどの観光地において複数の位置に設置されて定点を観測することを前提とする。したがって、図２に示すディジタルカメラ１０と比較して、図３に示すディジタルカメラ１０では、キー入力装置３８，ＬＣＤドライバ３０およびＬＣＤモニタ３２が省略される。
【００２７】
なお、図３に示すディジタルカメラ１０は、非日常的なシーンを撮影するために、ラジコンカー，ラジコン飛行機，ロッククライマーのヘルメットまたは動物に装着したり、さらには球技用のボールに埋め込んだりしてもよい。図３に示すディジタルカメラ１０はまた、保冷物の管理のために冷蔵庫の中に設置したり、警備エリアを撮影するために警備員の懐中電灯に装着したりしてもよい。
【００２８】
図２または図３を参照して、ディジタルカメラ１０は、ドライバ２０ａ，２０ｂ，２０ｃおよび２０ｄによってそれぞれ駆動されるズームレンズ１２，フォーカスレンズ１４，絞り機構１６およびイメージセンサ１８を含む。シーンを表す光学像は、ズームレンズ１２，フォーカスレンズ１４および絞り機構１６を経てイメージセンサ１８の撮像面に照射される。
【００２９】
カメラＣＰＵ２４は、マルチタスクＯＳの制御の下で、以下で述べる撮像タスク，およびＷｉＦｉ通信制御タスクを含む複数のタスクを並列的に実行する。なお、これらのタスクに対応する制御プログラムは、フラッシュメモリ４４に記憶される。
【００３０】
電源が投入されると、カメラＣＰＵ２４は、撮像タスクの下で動画取り込み処理を開始するべく露光動作および電荷読み出し動作の繰り返しをドライバ２０ｄに命令する。ドライバ２０ｄは、垂直同期信号Ｖｓｙｎｃが発生する毎に撮像面を露光し、これによって生成された電荷をラスタ走査態様で撮像面から読み出す。この結果、読み出された電荷に基づく生画像データがイメージセンサ１８から繰り返し出力される。信号処理回路２２は、イメージセンサ１８から出力された生画像データに色分離，白バランス調整，ＹＵＶ変換などの処理を施し、これによって作成されたＹＵＶ形式の画像データをメモリ制御回路２６に通してＳＤＲＡＭ２８の動画像エリア２８ａに書き込む。
【００３１】
図２に示すディジタルカメラ１０において、ＬＣＤドライバ３０は、動画像エリア２８ａに格納された画像データをメモリ制御回路２６を通して繰り返し読み出し、読み出された画像データに基づいてＬＣＤモニタ３２を駆動する。この結果、撮像面で捉えられたシーンを表すリアルタイム動画像（スルー画像）がモニタ画面に表示される。
【００３２】
信号処理回路２２によって作成されたＹデータは、カメラＣＰＵ２４にも与えられる。キー入力装置３８に設けられたシャッタボタン３８ｓｈが非操作状態にあるとき、カメラＣＰＵ２４は、信号処理回路２２から与えられたＹデータに基づいて簡易ＡＥ処理を実行し、適正ＥＶ値を算出する。算出された適正ＥＶ値を定義する絞り量および露光時間はドライバ２０ｃおよび２０ｄに設定され、これによってスルー画像の明るさが大まかに調整される。
【００３３】
図２に示すキー入力装置３８に設けられたズームボタン３８ｚが操作されると、カメラＣＰＵ２４は、ズーム処理の実行をドライバ２０ａに命令する。ズームレンズ１２はドライバ２０ａによってズームイン方向またはズームアウト方向に移動され、これによって画像データの倍率が変化する。
【００３４】
ＷｉＦｉ通信制御タスクの下で、カメラＣＰＵ２４は、キー入力装置３８に設けられたモードキー３８ｍｄによってＷｉＦｉ通信機能がオン状態であることを条件として、自機ＩＤの送信をＲＦモジュール４０に命令する。ＲＦモジュール４０は、自機ＩＤをアンテナ４０ａｔから繰り返し送信する。
【００３５】
未登録の他機ＩＤがＲＦモジュール４０によって受信されると、カメラＣＰＵ２４は、ＬＣＤモニタ３２を利用してＩＤ登録をユーザに促す。他機ＩＤは、キー入力装置３８に設けられた登録ボタン３８ｒによる登録操作が行われたときに、カメラＣＰＵ２４によってレジスタ４２に登録される。他機ＩＤの送信元とのＷｉＦｉ接続は、登録が完了した後に確立される。なお、登録済みの他機ＩＤが受信されたときは、速やかにＷｉＦｉ接続が確立される。
【００３６】
モードキー３８ｍｄの操作によってＷｉＦｉ通信機能がオン状態からオフ状態に切り換えられると、カメラＣＰＵ２４は、ＷｉＦｉ接続を解除する。上述の処理は、ＷｉＦｉ通信機能がオフ状態からオン状態に切り換えられたときに再度実行される。
【００３７】
図４を参照して、スマートフォン６０は、移動体通信用のアンテナ６２ａｔおよびＲＦモジュール６２を含む。送受信データが音声データであれば、前記音声データはマイクロフォン６６によって取り込むことができる。また、送受信データが画像データであれば、このデータはスマートフォンＣＰＵ６８の制御の下で処理される。
【００３８】
モニタ画面に対するタッチ操作は、タッチセンサ７８によって検知される。検知結果はスマートフォンＣＰＵ６８に与えられ、タッチ操作の態様に応じて異なる処理がスマートフォンＣＰＵ６８の制御の下で実行される。
【００３９】
スマートフォンＣＰＵ６８もまた、マルチタスクＯＳの制御の下で、ＷｉＦｉ通信制御タスクを含む複数のタスクを並列的に実行する。また、これらのタスクに対応する制御プログラムは、フラッシュメモリ８６に記憶される。
【００４０】
ＷｉＦｉ通信制御タスクの下で、スマートフォンＣＰＵ６８は、ＷｉＦｉ通信機能がオン状態であることを条件として、自機ＩＤの送信をＲＦモジュール８４に命令する。ＲＦモジュール８４は、自機ＩＤをアンテナ８４ａｔから送信する。
【００４１】
未登録の他機ＩＤがＲＦモジュール８４によって受信されると、スマートフォンＣＰＵ６８は、ＬＣＤモニタ７６を利用してＩＤ登録をユーザに促す。他機ＩＤは、モニタ画面のタッチによる登録操作が行われたときにスマートフォンＣＰＵ６８によってレジスタ８８に登録される。他機ＩＤの送信元とのＷｉＦｉ接続は、登録が完了した後に確立される。なお、登録済みの他機ＩＤが受信されたときは、速やかにＷｉＦｉ接続が確立される。
【００４２】
モニタ画面に対するタッチ操作によってＷｉＦｉ通信機能がオン状態からオフ状態に切り換えられると、スマートフォンＣＰＵ６８は、ＷｉＦｉ接続を解除する。上述の処理は、タッチ操作によってＷｉＦｉ通信機能がオフ状態からオン状態に切り換えられたときに再度実行される。
【００４３】
ディジタルカメラ１０とスマートフォン６０との間のＷｉＦｉ接続が確立し、ディジタルカメラ１０の撮像手段から出力された電子画像がスマートフォン６０に送信されて、スマートフォン６０の操作によりディジタルカメラ１０のズーム制御を行うまでの動作を図６に示す。
【００４４】
ディジタルカメラ１０への自動接続がスマートフォン６０に設定されている状態で、スマートフォン６０のＷｉＦｉ機能がオンされると、スマートフォン６０に割り当てられたＩＤがＷｉＦｉ通信によってディジタルカメラ１０に送信される。このＩＤが登録済みＩＤであれば、ディジタルカメラ１０とスマートフォン６０との間でＷｉＦｉ接続が確立される。
【００４５】
スマートフォン６０からディジタルカメラ１０に画像転送要求が送信され、前記画像転送要求がディジタルカメラ１０のＲＦモジュール４０によって受信されると、カメラＣＰＵ２４は、画像データの要求元への転送をＲＦモジュール４０に命令する。ＲＦモジュール４０は、動画像エリア２８ａに格納された画像データを、ＳＤＩＯ(Secure Digital Input/Output)４６およびメモリ制御回路２６を通して読み出し、読み出された画像データをアンテナ４０ａｔを通してファイル転送要求の発行元であるスマートフォン６０に送信する。前記画像データは、ＲＦモジュール８４によって受信される。前記画像データは、メモリ制御回路７０を通してＳＤＲＡＭ７２に書き込まれる。ＬＣＤドライバ７４は、前記画像データをメモリ制御回路７０を通して読み出し、読み出された画像データに基づいてＬＣＤモニタ７６を駆動する。この結果、ディジタルカメラ１０の撮像面で捉えられたシーンを表すリアルタイム動画像（スルー画像）が、スマートフォン６０のモニタ画面に表示される。
【００４６】
ユーザは、スマートフォン６０のモニタ画面７６に表示されたリアルタイム動画像を画面上で確認しながら、ズーム制御（変更）操作（ズーム処理）を行うことができる。スマートフォン６０でズーム制御操作を行うと、ディジタルカメラ１０にズーム制御信号が送信される。前記ズーム制御信号がディジタルカメラ１０のＲＦモジュール４０によって受信されると、カメラＣＰＵ２４は、ズーム変更速度をディジタルカメラ１０への直接操作でズーム変更を行う場合よりも遅くなるようにズーム変更速度調整を行ったうえで、ズーム変更命令をドライバ２０ａに与える。ドライバ２０ａは、ズームレンズ１２を駆動することで、ズーム制御を行う。ズーム変更後のリアルタイム動画像は、引き続きスマートフォン６０のモニタ画面７６に表示される。
【００４７】
以上のように、ユーザは、ディジタルカメラ１０でのズーム制御，撮影等の操作を、スマートフォン６０によって遠隔操作できる。
【００４８】
シャッタボタン３８ｓｈの半押しに対応する操作（半押し指示）がスマートフォン６０によって実行されていなければ、簡易ＡＥ処理が実行され、信号処理回路２２から出力される画像データの輝度が適度に調整される。スマートフォン６０からズーム指示が発行され、ＲＦモジュール４０によって受信されると、ズーム処理が実行され、ズームレンズ１２がズームイン方向またはズームアウト方向に移動し、信号処理回路２２から出力される画像データの倍率が変化する。
【００４９】
ズーム制御操作は、ズーム操作キーをスマートフォン６０の画面上に表示させて、前記ズーム操作キーをタッチすることによって行うことができる。前記ズーム操作キーをタッチし続けると、ズームは連続して変更される。
【００５０】
スマートフォン６０の画面上のズーム操作キーを操作してズーム変更する場合には、ディジタルカメラ１０のキー入力装置３８に設けられたズームボタン３８ｚを操作した場合よりも、ズーム変更速度を遅くする。スマートフォン６０からのズーム操作の際にズーム変更速度を遅くすると、制御において距離や通信状態に起因するタイムラグが生じた場合であっても、行き過ぎを軽減することができ、ズーム制御が容易になるという利点をもたらす。
【００５１】
また、前記ズーム操作キーをタップする（例えば、３００ｍｓｅｃ未満の短時間触れる）ことで、ズーム倍率を段階的に変更するステップズームを併用できる。ステップズームにおいては、ズーム操作キーをタップする毎に、決められた焦点距離の位置でズームを停止させる。ズームの停止位置は、予め決定しておいてもよいし、ユーザが任意に定めるようにしてもよい。また、停止位置の間隔は、等間隔であってもよいが、ズーム倍率に応じて変更してもよい。例えば、テレ側ではステップ幅を狭く、ワイド側ではステップ幅を広くするとよい。ズーム倍率を大きく変更させたい場合は、所望のズームに近づくまではズーム操作キーを長押しし、近づいたらタップして、ステップズームを用いてズームを微調整するとよい。
【００５２】
シャッタボタン３８ｓｈの半押しに対応する操作（半押し指示）がスマートフォン６０によって実行されると、カメラＣＰＵ２４は、信号処理回路２２から与えられたＹデータに基づいて厳格ＡＥ処理を実行し、最適ＥＶ値を算出する。算出された最適ＥＶ値を定義する絞り量および露光時間もまたドライバ２０ｃおよび２０ｄに設定され、これによってスルー画像の明るさが厳格に調整される。カメラＣＰＵ２４はまた、信号処理回路２２から与えられたＹデータの高周波成分に基づいてＡＦ処理を実行する。フォーカスレンズ１４はＡＦ処理によって発見された合焦点に配置され、これによってスルー画像の鮮鋭度が向上する。
【００５３】
シャッタボタン３８ｓｈの全押しに対応する操作がスマートフォン６０によって実行されると、カメラＣＰＵ２４は、静止画取り込み処理を実行するとともに、記録処理の実行をメモリＩ／Ｆ３４に命令する。シャッタボタン３８ｓｈの全押しに対応する操作が行われた時点のシーンを表す１フレームの画像データは、静止画取り込み処理によって動画像エリア２８ａから静止画像エリア２８ｂに退避される。記録処理の実行を命令されたメモリＩ／Ｆ３４は、こうして退避された画像データをメモリ制御回路２６を通して読み出し、読み出された画像データをファイル形式で記録媒体３６に記録する。
【００５４】
ディジタルカメラ１０において実行される撮像タスクは、図７に示すように構成される。ステップＳ１では動画取り込み処理を実行する。この結果、撮像面で捉えられたシーンを表す生画像データが撮像装置１８から周期的に出力され、これに対応するＹＵＶ形式の画像データが信号処理回路２２から周期的に出力される。
【００５５】
ステップＳ３ではシャッタボタン３８ｓｈが半押し操作されるか或いはスマートフォン６０から発行された半押し指示がＲＦモジュール４０によって受信されるという論理和条件が満足されたか否かを判別する。判別結果がＮＯであればステップＳ５に進み、簡易ＡＥ処理を実行する。この結果、信号処理回路２２から出力される画像データの輝度が適度に調整される。
【００５６】
ステップＳ７では、ズームボタン３８ｚが操作されるか或いはスマートフォン６０から発行されたズーム指示がＲＦモジュール４０によって受信されるという論理和条件が満足されたか否かを判別する。判別結果がＮＯであればそのままステップＳ３に戻る一方、判別結果がＹＥＳであればステップＳ９でズーム処理を実行してからステップＳ３に戻る。ズーム処理の結果、ズームレンズ１２がズームイン方向またはズームアウト方向に移動し、信号処理回路２２から出力される画像データの倍率が変化する。
【００５７】
ステップＳ３の判別結果がＹＥＳであれば、ステップＳ１１で厳格ＡＥ処理を実行し、ステップＳ１３でＡＦ処理を実行する。画像データの輝度は厳格ＡＥ処理によって最適値に調整され、画像データの鮮鋭度はＡＦ処理によって向上する。
【００５８】
ステップＳ１５ではシャッタボタン３８ｓｈが全押しされたか否かを判別し、ステップＳ１７ではシャッタボタン３８ｓｈの操作が解除されたか否かを判別する。ステップＳ１７の判別結果がＹＥＳであればそのままステップＳ３に戻り、ステップＳ１５の判別結果がＹＥＳであればステップＳ１９〜Ｓ２１の処理を経てステップＳ３に戻る。
【００５９】
シャッタボタン３８ｓｈが全押しされたと判別されると、ステップＳ１９で、静止画取り込み処理を実行する。この結果、シャッタボタン３８ｓｈが全押しされた時点のシーンを表す１フレームの画像データが動画像エリア２８ａから静止画像エリア２８ｂに退避される。ステップＳ２１では、記録処理の実行をメモリＩ／Ｆ３４に命令する。メモリＩ／Ｆ３４は、静止画像エリア２８ｂに格納された１フレームの画像データをメモリ制御回路２６を通して読み出し、読み出された画像データをファイル形式で記録媒体３６に記録する。記録処理が完了すると、ステップＳ３に戻る。
【００６０】
ディジタルカメラ１０において実行されるズーム処理撮像タスクは、図８に示すように構成される。ステップＳ２７では、ズームボタン３８ｚ或いはスマートフォン６０から発行されたズーム指示が３００ｍｓｅｃ以上であるという条件が満足されたか否かを判別する。判別結果がＮＯであればステップＳ２９に進み、ステップズームが実行され、ステップＳ３７に進む。
【００６１】
ステップＳ２７の判別結果がＹＥＳであれば、ステップＳ３１に進む。ステップＳ３１では、ステップＳ２７の判別結果をＹＥＳとしたトリガが、外部端末（スマートフォン６０）からの指示であるか否かを判別する。判別結果がＮＯであれば、つまりトリガがズームボタン３８ｚの操作であれば、ステップＳ３３で通常速度での連続ズーム変更を行い、ステップＳ３７に進む。これに対して、判別結果がＹＥＳであれば、つまりトリガがスマートフォン６０からのズーム指示であれば、ステップＳ３５で通常速度よりも遅い低速での連続ズーム変更を行い、ステップＳ３７に進む。
【００６２】
ステップＳ３７では、ズームボタン３８ｚの操作或いはスマートフォン６０から発行されたズーム指示が解除されたか否かを判別する。ステップＳ３７の判別結果がＮＯであればステップＳ２７に戻り、ステップＳ３７の判別結果がＹＥＳであれば、ズーム処理を終了する。
【００６３】
ディジタルカメラ１０において実行されるＷｉＦｉ通信制御タスクは、図９に示すように構成される。ステップＳ４１では、モードキー３８ｍｄの操作によってＷｉＦｉ通信機能がオン状態となっているか否かを判別する。判別結果がＮＯからＹＥＳに更新されるとステップＳ４３に進み、自機ＩＤの送信をＲＦモジュール４０に命令する。ＲＦモジュール４０は、自機ＩＤをアンテナ４０ａｔから送信する。ステップＳ４５では他機ＩＤがＲＦモジュール４０によって受信されたか否かを判別し、判別結果がＮＯであればステップＳ４１に戻る一方、判別結果がＹＥＳであればステップＳ４７に進む。
【００６４】
ステップＳ４７では受信された他機ＩＤがレジスタ４２に登録済みであるか否かを判別し、判別結果がＹＥＳであればそのままステップＳ５５に進む一方、判別結果がＮＯであればステップＳ４９〜Ｓ５３の処理を経てステップＳ５５に進む。
【００６５】
ステップＳ４９では、ＬＣＤモニタ３２を利用してＩＤ登録をユーザに促し、ステップＳ５１では登録ボタン３８ｒによる登録操作が行われたか否かを繰り返し判別する。判別結果がＮＯからＹＥＳに更新されると、受信された他機ＩＤをステップＳ５３でレジスタ４２に登録する。
【００６６】
ステップＳ５５ではＷｉＦｉ接続を確立し、ステップＳ５７ではモードキー３８ｍｄの操作によってＷｉＦｉ通信機能がオフされたか否かを繰り返し判別する。判別結果がＮＯからＹＥＳに更新されると、ステップＳ５９でＷｉＦｉ接続を解除し、その後にステップＳ４１に戻る。
【００６７】
スマートフォン６０において実行されるＷｉＦｉ通信制御タスクは、図１０に示すように構成される。ステップＳ７１では、ＷｉＦｉ通信機能がオン状態となっているか否かを判別する。判別結果がＮＯからＹＥＳに更新されるとステップＳ７３に進み、自機ＩＤの送信をＲＦモジュール８４に命令する。ＲＦモジュール８４は、自機ＩＤをアンテナ８４ａｔから送信する。ステップＳ７５では他機ＩＤがＲＦモジュール８４によって受信されたか否かを判別し、判別結果がＮＯであればステップＳ７１に戻る一方、判別結果がＹＥＳであればステップＳ７７に進む。
【００６８】
ステップＳ７７では受信された他機ＩＤがレジスタ８８に登録済みであるか否かを判別し、判別結果がＹＥＳであればそのままステップＳ８５に進む一方、判別結果がＮＯであればステップＳ７９〜Ｓ８３の処理を経てステップＳ８５に進む。
【００６９】
ステップＳ７９ではＬＣＤモニタ７６を利用してＩＤ登録をユーザに促し、ステップＳ８１ではタッチによる登録操作が行われたか否かを繰り返し判別する。判別結果がＮＯからＹＥＳに更新されると、受信された他機ＩＤをステップＳ８３でレジスタ８８に登録する。ステップＳ８５ではＷｉＦｉ接続を確立し、ステップＳ８７ではＷｉＦｉ通信機能がオフされたか否かを繰り返し判別する。判別結果がＮＯからＹＥＳに更新されると、ステップＳ８９でＷｉＦｉ接続を解除し、その後にステップＳ７１に戻る。
【００７０】
以上の説明からわかるように、ディジタルカメラ１０はＷｉＦｉ接続の確立によってスマートフォン６０との間の連携が可能となり、スマートフォン６０からの操作によりディジタルカメラ１０のズーム制御を行う際に、ズーム変更速度をディジタルカメラ１０への直接操作でズーム変更を行う場合よりも遅くなるようにズーム変更速度調整を行う。
【００７１】
これによって、ディジタルカメラ１０による撮影実行において遠隔操作によるズーム制御を容易に行うことができ、利便性が向上する。
【００７２】
なお、この実施例では、ディジタルカメラ１０およびスマートフォン６０の各々に準備される近距離無線通信規格としてＷｉＦｉ規格を想定しているが、近距離無線通信規格はＢｌｕｅｔｏｏｔｈ（登録商標）規格，ＮＦＣ規格，ＺｉｇＢｅｅ規格，ＲＦＩＤ規格およびＷｉｒｅｌｅｓｓＨＤ規格であってもよく、準備される規格はＷｉＦｉ規格に限定されるものではない。
【００７３】
また、ＷｉＦｉ通信によって、撮影された画像データをディジタルカメラ１０からスマートフォン６０に転送し、スマートフォン６０側で画像を確認するようにしてもよい。この場合、カメラＣＰＵ２４は、ＷｉＦｉ通信のためのＩＤ登録（ユーザ認証）が済んでいる装置からのファイル転送要求を待つ。スマートフォンＣＰＵ６８は、ＷｉＦｉ接続が確立された状態でのモニタ画面のタッチによるファイル再生操作に応答して、ファイル転送要求の発行をＲＦモジュール８４に命令する。ファイル転送要求は、アンテナ８４ａｔを通してＷｉＦｉ接続先であるディジタルカメラ１０に送信される。
【００７４】
ファイル転送要求がディジタルカメラ１０のＲＦモジュール４０によって受信されると、カメラＣＰＵ２４は、記録媒体３６から画像ファイルを取得する。取得された画像ファイルは、ＳＤＲＡＭ２８のワークエリア２８ｃに格納される。カメラＣＰＵ２４は続いて、取得された画像ファイルの要求元への転送をＲＦモジュール４０に命令する。ＲＦモジュール４０は、所望の画像ファイルをＳＤＩＯ(Secure Digital Input/Output)４６およびメモリ制御回路２６を通してワークエリア２８ｃから読み出し、読み出された画像ファイルをアンテナ４０ａｔを通してファイル転送要求の発行元に送信する。
【００７５】
撮影して得られた前記画像ファイルは、ＲＦモジュール８４によって受信される。前記画像ファイルは、メモリ制御回路７０を通してＳＤＲＡＭ７２に書き込まれる。ＬＣＤドライバ７４は、前記画像ファイルに収められた画像データをメモリ制御回路７０を通して読み出し、読み出された画像データに基づいてＬＣＤモニタ７６を駆動する。この結果、ディジタルカメラ１０によってセルフタイマ撮影して得られた画像がモニタ画面に表示される。
【００７６】
画像データの転送においては、相手方の装置（スマートフォン６０）の認証情報から装置性能を確認して、例えば、データを必要最低限のレベルまで性能を下げる変換を行ったうえで転送処理を行ってもよい。これにより、転送速度を速めたり、無駄な電力消費を抑えたりすることができる。例えば、ディジタルカメラ１０で撮影された画像がフルＨＤ記録モードであっても、接続の相手の解像度等の性能に合わせてＶＧＡレベルまで落として転送する等である。
【００７７】
さらに、この実施例では、ディジタルカメラ１０のカメラＣＰＵ２４によって実行される複数のタスクに相当する制御プログラムはフラッシュメモリ４４に予め記憶される。また、スマートフォン６０のスマートフォンＣＰＵ６８によって実行される複数のタスクに相当する制御プログラムはフラッシュメモリ８６に予め記憶される。
【００７８】
しかし、一部の制御プログラムを内部制御プログラムとしてフラッシュメモリ４４またはフラッシュメモリ８６に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００７９】
また、この実施例では、カメラＣＰＵ２４およびスマートフォンＣＰＵ６８によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【００８０】
なお、この実施例では、ディジタルスチルカメラを用いて説明したが、本発明は、ディジタルスチルカメラに代えてディジタルビデオカメラ，携帯電話端末またはスマートフォンなどにも適用することができる。携帯電話端末またはスマートフォンをディジタルスチルカメラに代えて用いる場合は、例えば、２台のスマートフォンを用いて一方はカメラとして、他方は遠隔操作用の外部端末とすることができる。
【符号の説明】
【００８１】
１０  …ディジタルカメラ
２４  …カメラＣＰＵ
４０，６２，８４  …ＲＦモジュール
３２，７６  …ＬＣＤモニタ
６０  …スマートフォン
６８  …スマートフォンＣＰＵ
【図１】
2014220715.tif 000003
【図２】
2014220715.tif 000004
【図３】
2014220715.tif 000005
【図４】
2014220715.tif 000006
【図５】
2014220715.tif 000007
【図６】
2014220715.tif 000008
【図７】
2014220715.tif 000009
【図８】
2014220715.tif 000010
【図９】
2014220715.tif 000011
【図１０】
2014220715.tif 000012